(57)【要約】【課題】  自然空冷と強制空冷の双方を効率良く実行することができる冷却装置及びスイッチング電源を提供すること。【解決手段】  本発明の冷却装置２０及びスイッチング電源１は、複数のフィン５０がベース上に並列された放熱フィン４０と、複数のフィン５０がそれぞれ挿通される開口４２ｏを有するカバー４２と、を備えている。フィン５０の先端部５０ａはカバー４２外に位置し、フィン５０の根元部５０ｂはカバー４２内に位置している。【選択図】  図３
2005033088.tif 000002
【特許請求の範囲】
【請求項１】
複数のフィンがベース上に並列された放熱フィンと、
前記複数のフィンがそれぞれ挿通される開口を有するカバーと、を備え、
前記フィンの先端部は前記カバー外に位置し、前記フィンの根元部は前記カバー内に位置していることを特徴とする冷却装置。
【請求項２】
前記ベース上における前記複数のフィンの間に第２のフィンが設けられており、
前記第２のフィンの全体が前記カバー内に位置していることを特徴とする請求項１記載の冷却装置。
【請求項３】
前記第２のフィンの先端部は、前記カバーの内面に当接していることを特徴とする請求項２記載の冷却装置。
【請求項４】
前記カバー内に空気を供給する冷却ファンを備えることを特徴とする請求項１〜請求項３のうち何れか一項記載の冷却装置。
【請求項５】
温度検出素子を備えており、
前記温度検出素子の検出結果に基づいて、前記冷却ファンの動作を制御することを特徴とする請求項４記載の冷却装置。
【請求項６】
スイッチング電源に適用され、
前記スイッチング電源の出力に基づいて、前記冷却ファンの動作を制御することを特徴とする請求項４記載の冷却装置。
【請求項７】
入力電圧をスイッチングするスイッチング回路を有し、前記入力電圧を所定の電圧に変換する電圧変換部と、
前記電圧変換部を冷却する冷却装置と、を備え、
前記冷却装置は、
複数のフィンがベース上に並列された放熱フィンと、
前記複数のフィンがそれぞれ挿通される開口を有するカバーと、を備え、
前記フィンの先端部は前記カバー外に位置し、前記フィンの根元部は前記カバー内に位置していることを特徴とするスイッチング電源。
【発明の詳細な説明】
【技術分野】
【０００１】
本発明は、冷却装置及びスイッチング電源に関するものである。
【背景技術】
【０００２】
ＭＯＳＦＥＴ等のパワー半導体をはじめとする発熱素子から生じる熱を大気中に放熱する手法として、対流による自然空冷方式と冷却ファンを利用した強制空冷方式が知られている。前者の自然空冷方式は、冷却用のフィンが大気中に開放された状態になっており、電気的又は機械的動作をする格別な装置は不要であるため、コストを抑えられるという長所を有する。一方、後者の強制空冷方式は、並列されたフィン間に冷却ファンによって強制的に空気を供給するため、冷却効率が自然空冷と比較して高いという長所を有する。
【０００３】
これらの双方の長所を併せ持つことを狙った冷却装置が、例えば下記特許文献１に記載されている。この冷却装置はアンプ（増幅器）の冷却に用いられるものであり、放熱フィンの端部に設けられ放熱フィンに向けて空気流を供給する冷却ファンを具備している。そして、通常はファンを停止させて自然空冷を行い、アンプの温度が所定温度以上になった際にファンモータを駆動して強制空冷を行うものである。
【特許文献１】実開平５−３８９８５公報
【発明の開示】
【発明が解決しようとする課題】
【０００４】
しかしながら、上記従来の冷却装置には、次のような問題があった。すなわち、上記特許文献１の装置では、放熱フィンが外部に露出するように設けられているため、各放熱フィン間に供給した空気が外部に漏れてしまい、強制空冷の効率を高くすることが困難であった。つまり、実質的には、自然空冷と強制空冷の長所を併せ持つとは言い難いものである。
【０００５】
そこで、本発明者は、自然空冷と強制空冷の長所を併せ持つことを目的としつつ、フィン全体を覆うカバーを設け、冷却ファンによってこのカバー内に空気を供給する装置（未公知）を案出した。この装置によれば、フィン間に供給された空気が外部に漏れる事態はカバーによって防止されるため、強制空冷の効率を向上させることができる。ところが、この考案装置では、フィン間で対流した空気が外気と循環できなくなることから、自然空冷の効率が悪くなってしまい、自然空冷と強制空冷の双方の長所を活かしきれているとは言い難い。
【０００６】
また、以上のような冷却効率を高める要望は、スイッチング電源に対しても求められている。スイッチング電源は、例えばハイブリッド車等に搭載されており、バッテリから供給される電圧（例えば３００Ｖ）を例えば１２Ｖに降圧し、ヘッドライト等の車載機器に配電する。このようなスイッチング電源は、入力電圧のノイズを除去する入力平滑回路、直流を交流に変換するスイッチング回路、降圧を行うメイントランス、交流を直流に変換する整流回路、及び出力電圧のノイズを除去する出力平滑回路等の各種素子を備えている。これらの素子のなかでも、スイッチング回路及び整流回路は特に高温になりやすい。スイッチング回路を構成するＭＯＳＦＥＴ等のスイッチング素子、及び、整流回路を構成する半導体ダイオード（整流素子）は、スイッチング電源の稼動時に百数十℃にも達する。従って、このようなスイッチング電源では、冷却効率を改善することが急務となっている。
【０００７】
本発明の課題は、自然空冷と強制空冷の双方を効率良く実行することができる冷却装置及びスイッチング電源を提供することにある。
【課題を解決するための手段】
【０００８】
上記課題を解決するために、本発明の冷却装置は、複数のフィンがベース上に並列された放熱フィンと、複数のフィンがそれぞれ挿通される開口を有するカバーと、を備え、フィンの先端部はカバー外に位置し、フィンの根元部はカバー内に位置していることを特徴としている。また、冷却装置は、上記カバー内に空気を供給する冷却ファンを備えることが好適である。
【０００９】
このような冷却装置では、放熱フィンのベースにおけるフィンが形成された側とは反対側に、冷却対象物が配される。そして、各フィンの根元部側の領域がカバーで覆われているため、冷却ファン等を利用して冷却対象物の強制空冷を行う際に、各フィン間に供給された空気が外部に漏れる事態を抑制できる。これにより、強制空冷を効率良く行うことができる。また、各フィンの先端部側の領域は、カバー外に位置して外部に露出しているため、フィン間において対流した空気が外気と循環することができる。これにより、自然空冷を効率良く行うことができる。
【００１０】
また、上記ベース上における複数のフィンの間に第２のフィンが設けられており、第２のフィンの全体が前記カバー内に位置していることが好適である。
【００１１】
この場合、強制空冷時に空気が供給されるカバー内には、上記複数のフィン及び第２のフィンが位置していることになる。一方、カバー外には、第２のフィンは存在していない。つまり、フィンの間隔は、カバー内よりもカバー外の方が大きくなっており、カバー外に露出したフィン間における空気の対流が行われ易くなっている。これにより、自然空冷の効率を更に向上させることができる。
【００１２】
また、上記第２のフィンの先端部は、上記カバーの内面に当接していることが好ましい。このような構成を採用した場合、カバー表面からも放熱させることができ、強制空冷及び自然空冷の効率向上を図れる。
【００１３】
また、本発明の冷却装置は、温度検出素子を備えており、この温度検出素子の検出結果に基づいて、冷却ファンの動作を制御することが好適である。
【００１４】
例えば、温度検出素子による検出温度が所定値以上になった場合に冷却ファンを作動させて強制空冷し、検出温度が所定値に満たない場合は冷却ファンを停止させて自然空冷するように制御する。冷却対象物から発生する熱は時系列で一定でないこともあり、自然空冷で充分対応できる場合がある。このような場合に、上記のように制御することで、冷却ファンの使用頻度を低減することができ、消費電力の低減、長寿命化、低コスト化を実現することができる。また、温度検出素子の検出結果に基づいて冷却ファンの作動及び停止を切り換えるだけでなく、検出温度に応じて冷却ファンの強度を調節するようにしてもよい。
【００１５】
また、本発明の冷却装置は、スイッチング電源に適用され、このスイッチング電源の出力に基づいて、前記冷却ファンの動作を制御することも好適である。
【００１６】
通常、スイッチング電源の出力電流が大きくなるにつれて、電源の発熱温度は高くなる。一方、出力電流が小さい場合、電源の発熱は抑えられ、自然空冷で対応できることもある。従って、出力電流が所定値以上になった場合に冷却ファンを作動させて強制空冷し、出力電流が所定値に満たない場合は冷却ファンを停止させて自然空冷するように制御することで、冷却ファンの使用頻度を低減することができる。また、スイッチング電源の出力電流に基づいて冷却ファンの作動及び停止を切り換えるだけでなく、出力電流に応じて冷却ファンの強度を調節するようにしてもよい。
【００１７】
本発明のスイッチング電源は、入力電圧をスイッチングするスイッチング回路を有し、入力電圧を所定の電圧に変換する電圧変換部と、電圧変換部を冷却する冷却装置と、を備え、冷却装置は、複数のフィンがベース上に並列された放熱フィンと、複数のフィンがそれぞれ挿通される開口を有するカバーと、を備え、フィンの先端部はカバー外に位置し、フィンの根元部はカバー内に位置していることを特徴としている。
【００１８】
本発明のスイッチング電源では、各フィンの根元部側の領域がカバーで覆われているため、冷却ファン等を利用して電圧変換部の強制空冷を行う際に、各フィン間に供給された空気が外部に漏れる事態を抑制できる。これにより、強制空冷を効率良く実施することができる。また、各フィンの先端部側の領域は、カバー外に位置して外部に露出しているため、フィン間において対流した空気が外気と循環することができる。これにより、自然空冷を効率良く実施することができる。
【発明の効果】
【００１９】
本発明に係る冷却装置及びスイッチング電源によれば、自然空冷と強制空冷の双方を効率良く実行することができる。
【発明を実施するための最良の形態】
【００２０】
以下、添付図面を参照して、本発明に係る冷却装置及びスイッチング電源の好適な実施形態について詳細に説明する。尚、同一要素には同一符号を用いるものとし、重複する説明は省略する。
【００２１】
［第１実施形態］
図１は、本実施形態のスイッチング電源を示す斜視図であり、図２は、図１に示すスイッチング電源の側面図である。このスイッチング電源１は、ハイブリッド車等に適用される、いわゆるＤＣ−ＤＣコンバータであり、車載バッテリから送られてくる入力電圧を降圧すると共に安定化して、パワーウィンドウ、ヘッドライト、オーディオ機器等の車載機器やモータ等に対して送出する装置である。スイッチング電源１は、入力電圧値を変換する電圧変換部１０と、この電圧変換部１０を冷却する冷却装置２０とを備えている。各図において、電圧変換部１０は電源カバー１１が被された状態を示しており、内部に搭載された各素子については後述する。
【００２２】
冷却装置２０は、電圧変換部１０に取り付けられる放熱フィン４０と、これを覆うカバー４２と、カバー４２内へ強制空冷用の空気を供給するための冷却ファン６０と、冷却ファン６０とカバー４２とを連通しアルミニウム又は樹脂等で形成されたダクト６２とを備えている。放熱フィン４０は、電圧変換部１０にネジ止めされた平板状のベース４４と、ベース４４上に並列された薄板状の複数の第１フィン５０とを有している。
【００２３】
図３は、冷却ファン６０及びダクト６２を取り外した状態のスイッチング電源の正面図であり、図４は、カバー４２を放熱フィン４０から脱却した状態の斜視図である。各図に示すように、各第１フィン５０の間には、これと平行で且つ第１フィン５０よりも低背な第２フィン５２が形成されている。放熱フィン４０を構成するベース４４、第１フィン５０、及び第２フィン５２は、例えば熱伝導の良好なアルミニウム等によって形成されている。
【００２４】
放熱フィン４０を覆うカバー４２には、長尺状の複数の開口４２ｏが形成されており、各開口４２ｏにはそれぞれ第１フィン５０が挿通される。また、カバー４２は、開口４２ｏが形成された天井部４２ａと、この天井部４２ａの両側から垂下する側部４２ｂとを備えている。更に、側部４２ｂの下端部には外側に張り出した張出部４２ｃが形成されており、カバー４２を放熱フィン４０に装着した際に、この張出部４２ｃは、放熱フィン４０のベース４４に面接触するようになっている。また、上記のダクト６２は、カバー４２における側部４２ｂの存在しない側、すなわち図３の図中手前側の開口部に配設されることになる。同図手前側からダクトを通じて供給される冷却ファン６０からの強制空冷用の空気は、カバー４２内を通って図中奥側の開口部から排出される。また、ダクト６２の出口は、各フィン５０，５２の端面に対向するように配されている。これにより、冷却ファン６２から送られてくる空気を、各フィン間にスムーズに供給することができる。
【００２５】
更に、図３及び図５を参照して、カバー４２装着時における第１フィン５０及び第２フィン５２の状態を更に詳説する。図５は、図３におけるフィン近傍の拡大図である。カバー４２を放熱フィン４０に装着した状態では、第１フィン５０の先端部５０ａ（ベース４４から遠い側）はカバー４２の外側に位置し、根元部５０ｂ（ベース４４に近い側）はカバー４２の内側に位置している。このような構成において、隣り合う第１フィン５０におけるカバー４２外の領域において、自然空冷が行われることになる。
【００２６】
また、カバー４２の開口４２ｏは、いわゆるバーリング加工によって形成されており、開口４２ｏにおける長手方向の両側において周縁部が立ち上げられた形になっている。そして、対向する立ち上げ部の間を第１フィン５０の厚みと同程度にすることで、嵌入された第１フィン５０が開口４２ｏから脱却されにくくしている。このため、カバー４２を放熱フィン４０にネジ止め等をしなくてもよいが、必要に応じて張出部４２ｃにおいてネジ止めすることができる。
【００２７】
一方、第１フィン５０よりも低背である第２フィン５２は、その全体がカバー４２内に位置している。更に、第２フィン５２の先端部５２ａは、カバー４２の内面、詳しくは天井部４２ａの底面に当接している。
【００２８】
次に、図６を参照して、スイッチング電源１における電圧変換部１０の構成を説明する。同図では、電圧変換部１０の回路システムを模式的に示している。
【００２９】
電圧変換部１０は、主な構成要素として、平板状のベースプレート１８と、入力電圧のノイズを除去する入力平滑回路１２と、入力電圧をスイッチングして直流を交流に変換するスイッチング回路１３と、電圧変換を行うメイントランス１４と、交流を直流に変換する整流回路１５と、出力電圧のノイズを除去する出力平滑回路１６とを備えている。ベースプレート１８は、冷却装置２０における放熱フィン４０のベース４４に面接触した状態でネジ止めされる。尚、ベースプレート１８が放熱フィン４０のベース４４を兼ねるようにし、上記各フィン５０，５２をベースプレート１８から立設させてもよい。
【００３０】
入力平滑回路１２は、主にコイルやコンデンサで構成されている。また、スイッチング回路１３は、例えばＭＯＳＦＥＴ等のスイッチング素子で構成されており、これらのスイッチング素子の接続／切断のタイミングは図示を省略する電源制御部によって制御されている。すなわち、２つ一組のスイッチング素子が、電源制御部によって組毎に所定のタイミングで接続／切断されて、直流から交流への変換が行われる。さらに、メイントランス１４は、巻数の多い一次コイルと巻数の少ない二次コイルによって構成されており、入力電圧を降圧する。整流回路１５は、整流素子としての例えばダイオードを複数備えている。尚、整流素子には、整流素子の単なるチップだけでなく、複数の整流素子をモジュール化したものも含まれる。出力平滑回路１６は、主にチョークコイルやコンデンサ等で構成されている。
【００３１】
このような構成の下、スイッチング電源１がバッテリから入力電圧を受け付けると、まず、入力平滑回路１２においてその入力電圧のノイズ成分が除去される。入力平滑回路１２によってノイズが除去された入力電圧は、スイッチング回路１３において交流電圧に変換される。交流電圧に変換された入力電圧は、メイントランス１４において降圧される。降圧された入力電圧は、整流回路１５において直流に変換され、出力平滑回路１６においてノイズ除去された後に出力される。尚、スイッチング電源１には、図６に示した回路及び素子以外にも、種々の回路及び素子が搭載されているが、説明の便宜上省略している。尚、スイッチング回路を構成するＭＯＳＦＥＴ等のスイッチング素子、及び、整流回路を構成する半導体ダイオード（整流素子）は、スイッチング電源の稼動時に発熱温度が特に高いという特性がある。このため、スイッチング電源においては高い冷却効率が要求される。
【００３２】
次に、図１、図３、及び図５を参照して、本実施形態の冷却装置及びスイッチング電源の効果を説明する。
【００３３】
上記のように、各第１フィン５０及び第２フィン５２の根元部側の領域がカバー４２で覆われているため、冷却ファン６０を利用して電圧変換部１０の強制空冷を行う際に、各フィン５０，５２間に供給された空気が外部に漏れる事態を抑制できる。これにより、強制空冷を効率良く行うことができる。また、各第１フィン５０の先端部５０ａ側の領域は、カバー４２の外側に位置して外部に露出しているため、第１フィン５０間において対流した空気が外気と循環することができる。これにより、自然空冷を効率良く行うことができる。つまり、本実施形態では、強制空冷及び自然空冷の双方を効率良く実行することができ、電圧変換部１０の温度上昇を高効率で抑制できる。
【００３４】
また、上記のように、第２フィン５２の全体がカバー４２内に位置している。つまり、強制空冷時に空気が供給されるカバー４２内には、複数の第１フィン５０及び第２フィン５２が位置していることになる。一方、カバー４２外には、第２フィン５２は存在していない。つまり、フィン（ここでいう「フィン」は、第１又は第２の別を問わない）の間隔は、カバー４２内よりもカバー４２外の方が大きくなっており、カバー４２外に露出したフィン間における空気の対流が行われ易くなっている。これにより、自然空冷の更なる効率化が達成されている。
【００３５】
更に、第２フィン５２の先端部５２ａは、カバー４２の内面に当接している。このため、カバー４２表面からも放熱させることができ、強制空冷及び自然空冷の効率向上が図られている。尚、第２フィン５２からカバー４２への熱伝達の効果を必要としない場合は、第２フィン５２の先端部５２ａをカバー４２の内面に接触させなくてもよい。
【００３６】
また、上記のように、本実施形態では、冷却ファン６０の動作は、サーミスタ３２（図６）の検出結果に基づいて、制御装置３０によって制御される。制御装置３０は、サーミスタ３２による検出温度が予め記憶した所定値以上になった場合に冷却ファン６０を作動させて強制空冷し、検出温度が所定値に満たない場合は冷却ファン６０を停止させて自然空冷するように制御する。スイッチング電源の各素子から発生する熱は時系列で一定でないこともあり、自然空冷で充分対応できる場合がある。このような場合に、上記のように制御することで、冷却ファン６０の使用頻度を低減することができ、消費電力の低減、長寿命化、低コスト化を実現することができる。また、サーミスタ３２の検出結果に基づいて冷却ファン６０の作動及び停止を切り換えるだけでなく、検出温度に応じて冷却ファン６０の強度（例えば回転数）を調節するようにしてもよい。つまり、検出温度が高くなるにつれて冷却ファン６０の回転数が高くなるように制御する。
【００３７】
更に、サーミスタ３２の検出結果の代わりに又はこれと併用して、制御装置３０は、スイッチング電源における電圧変換部１０の出力に基づいて、冷却ファン６０の動作を制御するようにしてもよい。この場合、電圧変換部１０の出力電流値を測定する電流計を設け、この測定結果を制御装置３０に送信するように構成する。通常、スイッチング電源の出力電流が大きくなるにつれて、電源の発熱温度は高くなる。一方、出力電流が小さい場合、電源の発熱は抑えられ、自然空冷で対応できることもある。従って、出力電流が所定値以上になった場合に冷却ファン６０を作動させて強制空冷し、出力電流が所定値に満たない場合は冷却ファン６０を停止させて自然空冷するように制御することで、冷却ファン６０の使用頻度を低減することができる。また、スイッチング電源の出力電流に基づいて冷却ファン６０の作動及び停止を切り換えるだけでなく、出力電流に応じて冷却ファン６０の強度（回転数）を調節するようにしてもよい。
【００３８】
［第２実施形態］
次に、図７を参照して、本発明の第２実施形態を説明する。本実施形態は、第１フィン５０及び第２フィン５２の形成パターンが第１実施形態と異なる。同図に示すように、本実施形態では、隣り合う第１フィン５０の間に、３枚の第２フィン５２が立設されている。
【００３９】
カバー４２内での各フィン（ここでいう「フィン」は、第１又は第２の別を問わない）の間隔を第１実施形態と等しくしつつこのような構成を採用すると、カバー４２外における第１フィン５０間の間第１実施形態と隔が広くなるため、第１フィン５０間で対流した空気が外気と循環しやすくなり、自然空冷の効率を向上させることができる。一方、第１フィン５０同士の間隔を第１実施形態と等しくしつつこのような構成を採用すると、カバー４２内におけるフィンの密度が高まり、強制空冷の効率を向上させることができる。
【００４０】
尚、各第１フィン５０間に設ける第２フィン５２の数は３枚に限られず、２枚でもよく、或いは、４枚以上にしてもよい。また、場所に応じて第２フィン５２の枚数を変えてもよい。
【００４１】
［第３実施形態］
次に、図８を参照して、本発明の第３実施形態を説明する。本実施形態では、放熱フィン４０に第１フィン５０のみが形成されており、第２フィン５２は形成されていない。つまり、すべてのフィンにおいて、先端部がカバー外に位置し、根元部がカバー４２内に位置するという形になっている。
【００４２】
このような構成を採用した場合でも、各第１フィン５０の根元部５０ｂ側の領域がカバー４２で覆われているため、冷却ファン６０を利用して電圧変換部１０の強制空冷を行う際に、各フィン５０間に供給された空気が外部に漏れる事態を抑制できる。これにより、強制空冷を効率良く行うことができる。また、各第１フィン５０の先端部５０ａ側の領域は、カバー４２の外側に位置して外部に露出しているため、第１フィン５０間において対流した空気が外気と循環することができる。これにより、自然空冷を効率良く行うことができる。つまり、本実施形態においても、上記各実施形態と同様に、強制空冷及び自然空冷の双方を効率良く実行することができ、電圧変換部１０の温度上昇を高効率で抑制できる。また、本実施形態では、第２フィンを形成する必要が無いため、その製造過程が容易になる。
【００４３】
以上、本発明者によってなされた発明を実施形態に基づき具体的に説明したが、本発明は上記実施形態に限定されるものではない。例えば、冷却ファンからの空気をダクトを通じて全て放熱フィンのカバー内に供給するようにしているが、分岐したダクトを使用し、スイッチング電源と共に他の装置（例えばバッテリ）にも空気を供給するようにしてもよい。更に、ダクトを設けず、冷却ファンと放熱フィンを対向させる態様にしてもよい。
【００４４】
また、冷却装置の冷却対象物はスイッチング電源に限られず、パワー半導体をはじめとした冷却が必要となる様々の要素を冷却対象とすることができる。
【００４５】
更に、第１フィン及び第２フィンの形状は、板状（図３において直線状）に限られず、サイン波等の波状にしたり、側面に突起を形成したり、部分的に幅を厚くしたり、表面に粗面加工を施したりするようにしてもよい。これらの場合、フィンの表面積が増加し、冷却効率を向上させることができる。
【図面の簡単な説明】
【００４６】
【図１】本発明に係る冷却装置及びスイッチング電源の第１実施形態を示す斜視図である。
【図２】図１に示すスイッチング電源の側面図である。
【図３】図１に示す冷却装置においてダクトを外した状態を示す図である。
【図４】放熱フィンからカバーを外した状態を示す分解斜視図である。
【図５】フィン近傍の拡大図である。
【図６】スイッチング電源の回路を示すブロック図である。
【図７】本発明に係る冷却装置及びスイッチング電源の第２実施形態を示す図である。
【図８】本発明に係る冷却装置及びスイッチング電源の第３実施形態を示す図である。
【符号の説明】
【００４７】
１…スイッチング電源、１０…電圧変換部、１１…電源カバー、１２…入力平滑回路、１３…スイッチング回路、１４…メイントランス、１５…整流回路、１６…出力平滑回路、１８…ベースプレート、２０…冷却装置、３０…制御装置、３２…サーミスタ（温度検出素子）、４０…放熱フィン、４２…カバー、４２ｏ…カバーの開口、４４…ベース、５０…第１フィン、５０ａ…先端部（第１フィン）、５０ｂ…根元部（第１フィン）、５２…第２フィン、５２ａ…先端部（第２フィン）、６０…冷却ファン、６２…ダクト。
【図１】
2005033088.tif 000003
【図２】
2005033088.tif 000004
【図３】
2005033088.tif 000005
【図４】
2005033088.tif 000006
【図５】
2005033088.tif 000007
【図６】
2005033088.tif 000008
【図７】
2005033088.tif 000009
【図８】
2005033088.tif 000010